(57)【要約】【課題】通信に不具合が生じる事態を防止することができ、且つ、接続部における接続不良も起こりにくい配線構造を有するインターホン機器を提供する。【解決手段】縦収納空間１２と横収納空間１３とからなる逆Ｌ字状の配線空間を設け、接続状態において下方へ延びるＬＡＮケーブルＬ１を左右方向に導き出すように構成した。したがって、従来の如くＵ字配線処理溝に沿って折り返す構成と比較して、一般的に剛性のあるＬＡＮケーブルＬ１であっても配線時における負荷等に起因して通信が正常でなくなるおそれを軽減することができるし、ＬＡＮケーブル接続端子１４における接続不良をも防止することができる。【選択図】図４
2011077696.tif 000002
【特許請求の範囲】
【請求項１】
インターホン機能を制御するための制御基板を内蔵した本体ケースに、ＬＡＮケーブルを接続可能なＬＡＮケーブル接続端子を有するインターホン機器であって、
前記本体ケースに、接続状態にあり下方へ延びる前記ＬＡＮケーブルを左右方向へ導くＬ字状の配線収納空間を設けたことを特徴とするインターホン機器。
【請求項２】
前記配線収納空間に、他のインターホン機器と接続するための前記ＬＡＮケーブルとは別の信号線を接続する信号線接続端子を設けるとともに、
前記配線収納空間において、前記ＬＡＮケーブルを前記本体ケースの周縁側に、前記信号線を前記ＬＡＮケーブルよりも内側に夫々収納可能としたことを特徴とする請求項１に記載のインターホン機器。
【請求項３】
前記配線収納空間が、縦収納空間と、該縦収納空間に連通する横収納空間とからなり、前記縦収納空間の上端に前記ＬＡＮケーブルを接続するためのＬＡＮケーブル接続端子を設けるとともに、前記横収納空間内の上面に前記信号線接続端子を設ける一方、前記横収納空間の先端部の上部に、前記信号線を前記配線収納空間から導き出すための信号線用導出部を、前記横収納空間の先端部の下部に前記ＬＡＮケーブルを前記配線収納空間から導き出すためのＬＡＮケーブル用導出部を設けたことを特徴とする請求項２に記載のインターホン機器。
【請求項４】
前記ＬＡＮケーブル用導出部を、前記横収納空間の底面から後方へ向けて徐々に持ち上がるテーパ状に形成したことを特徴とする請求項３に記載のインターホン機器。
【請求項５】
前記縦収納空間と前記横収納空間との連通部に、該連通部へ向けて下方に突出し、左右方向から見ると前記信号線用導出部の少なくとも一部を覆うガイドリブを設けたことを特徴とする請求項３又は４に記載のインターホン機器。
【請求項６】
前記縦収納空間と前記横収納空間との連通部に、該連通部へ向けて上方に突出する押し込み防止リブを設け、接続状態にあるＬＡＮケーブルを更に押し込んだ際、前記縦収納空間及び前記横収納空間で撓んだＬＡＮケーブルが前記押し込み防止リブに当接し、前記ＬＡＮケーブル接続部にかかる押し込み方向への負荷が軽減されることを特徴とする請求項３〜５の何れかに記載のインターホン機器。
【発明の詳細な説明】
【技術分野】
【０００１】
本発明は、ＬＡＮケーブルを接続可能なインターホン機器に関するものである。
【背景技術】
【０００２】
従来、ＬＡＮケーブルを接続可能な構造を有するインターホン機器としては、たとえば特許文献１に開示されているものがある。このタイプのインターホン機器では、後ケースにＵ字配線処理溝を設けており、接続状態において下方へ延びるＬＡＮケーブルを折り返して上方へ導くように構成していた。
【先行技術文献】
【特許文献】
【０００３】
【特許文献１】特開２００７−１８０７７２号公報
【発明の概要】
【発明が解決しようとする課題】
【０００４】
しかしながら、ＬＡＮケーブルは、他のケーブル（たとえば住戸内でインターホン機器同士を接続するための信号線）と比較して一般的に剛性を有しているため、このようなＬＡＮケーブルをＵ字配線処理溝に沿って折り返すと、イーサネット（登録商標）通信において損失がおこり、正常に通信できなくなるおそれがあった。
また、ＬＡＮケーブルを接続する一般的な構造としては、接続端子にコネクタ接続する構造があり、上記特許文献１に記載のインターホン機器でも採用されている。しかしながら、上述したようにＵ字配線処理溝を利用してＬＡＮケーブルを上方へ導こうとすると、コネクタに大きな負荷がかかり、接続端子とコネクタとの接続部において接続不良が起こるおそれがある。
【０００５】
そこで、本発明は、上記問題に鑑みなされたものであって、通信に不具合が生じる事態を防止することができ、且つ、接続部における接続不良も起こりにくい配線構造を有するインターホン機器を提供しようとするものである。
【課題を解決するための手段】
【０００６】
上記目的を達成するために、本発明のうち請求項１に記載の発明は、インターホン機能を制御するための制御基板を内蔵した本体ケースに、ＬＡＮケーブルを接続可能なＬＡＮケーブル接続端子を有するインターホン機器であって、本体ケースに、接続状態にあり下方へ延びるＬＡＮケーブルを左右方向へ導くＬ字状の配線収納空間を設けたことを特徴とする。
したがって、請求項１に記載の発明によれば、本体ケースにＬ字状の配線収納空間を設け、接続状態にあり下方へ延びるＬＡＮケーブルを左右方向へ導くため、一般的に剛性のあるＬＡＮケーブルであっても配線時における負荷等に起因して通信が正常でなくなるおそれを軽減することができるし、ＬＡＮケーブル接続端子における接続不良をも防止することができる。
【０００７】
請求項２に記載の発明は、請求項１に記載の発明において、配線収納空間に、他のインターホン機器と接続するためのＬＡＮケーブルとは別の信号線を接続する信号線接続端子を設けるとともに、配線収納空間において、ＬＡＮケーブルを本体ケースの周縁側に、信号線をＬＡＮケーブルよりも内側に夫々収納可能としたことを特徴とする。
したがって、請求項２に記載の発明によれば、配線収納空間において、ＬＡＮケーブルを本体ケースの周縁側に、信号線をＬＡＮケーブルよりも内側に夫々収納可能としているため、両配線が混在しない状態で剛性のあるＬＡＮケーブルを無理なく配線することができる。
【０００８】
請求項３に記載の発明は、請求項２に記載の発明において、配線収納空間が、縦収納空間と、該縦収納空間に連通する横収納空間とからなり、縦収納空間の上端にＬＡＮケーブルを接続するためのＬＡＮケーブル接続端子を設けるとともに、横収納空間内の上面に信号線接続端子を設ける一方、横収納空間の先端部の上部に、信号線を配線収納空間から導き出すための信号線用導出部を、横収納空間の先端部の下部にＬＡＮケーブルを配線収納空間から導き出すためのＬＡＮケーブル用導出部を設けたことを特徴とする。
したがって、請求項３に記載の発明によれば、配線収納空間の先端部において上部から信号線を、下部からＬＡＮケーブルを夫々導き出すことができるため、両配線が混在しない状態で剛性のあるＬＡＮケーブルを無理なく配線し、且つ導き出すことができる。
【０００９】
請求項４に記載の発明は、請求項３に記載の発明において、ＬＡＮケーブル用導出部に、横収納空間の底面から後方へ向けて徐々に持ち上がるテーパ面を形成したことを特徴とする。
したがって、請求項４に記載の発明によれば、ＬＡＮケーブルを一層無理なく導き出すことができる。
【００１０】
請求項５に記載の発明は、請求項３又は４に記載の発明において、縦収納空間と横収納空間との連通部に、該連通部へ向けて下方に突出し、左右方向で信号線用導出部の少なくとも一部を覆うガイドリブを設けたことを特徴とする。
したがって、請求項５に記載の発明によれば、スムーズにＬＡＮケーブルを配線することができる上、ＬＡＮケーブルと信号線との混在をより確実に防止することができる。
【００１１】
請求項６に記載の発明は、請求項３〜５の何れかに記載の発明において、縦収納空間と横収納空間との連通部に、該連通部へ向けて上方に突出する押し込み防止リブを設け、接続状態にあるＬＡＮケーブルを更に押し込んだ際、縦収納空間及び横収納空間で撓んだＬＡＮケーブルが押し込み防止リブに当接し、ＬＡＮケーブル接続部にかかる押し込み方向への負荷が軽減されることを特徴とすることを特徴とする。
したがって、請求項６に記載の発明によれば、通信に不具合が生じる事態やＬＡＮケーブル接続端子において接続不良が生じる事態を一層軽減することができる。
【発明の効果】
【００１２】
本発明によれば、本体ケースに、接続状態にあり下方へ延びるＬＡＮケーブルを左右方向へ導くＬ字状の配線収納空間を設けているため、一般的に剛性のあるＬＡＮケーブルであっても配線時における負荷等に起因して通信が正常でなくなるおそれを軽減することができるし、ＬＡＮケーブル接続端子における接続不良をも防止することができる。
【図面の簡単な説明】
【００１３】
【図１】インターホン子機の外観を正面から示した斜視説明図である。
【図２】インターホン子機の外観を後面から示した斜視説明図である。
【図３】カバー部材を取り付けた状態におけるインターホン子機の外観を後面から示した斜視説明図である。
【図４】ＬＡＮケーブルや信号線を接続した状態のインターホン子機を後面から示した斜視説明図である。
【図５】ＬＡＮケーブルや信号線を接続し、カバー部材を取り付けた状態のインターホン子機を後面から示した斜視説明図である。
【発明を実施するための形態】
【００１４】
以下、本発明の一実施形態となるインターホン機器について、図面をもとに説明する。
【００１５】
１は、インターホン機器の一例であるインターホン子機であって、玄関の壁面等に図示しない取付台を介して設置され、居室内等に設置されるインターホン親機（図示せず）と通話可能に接続されるものである。当該インターホン子機１は、前ケース２と後ケース３とを組み付けてなる本体ケース４を備えており、該本体ケース４の前面には、来訪者が居住者を呼び出すための呼出ボタン５、来訪者を撮像するためのカメラ部６、来訪者が居住者と通話するためのマイク部７及びスピーカ部８が設けられている一方、本体ケース４の内部には、図示しないインターホン機能を制御するためのメイン基板やスイッチ基板等の各種基板、スピーカ等の各種電子部品が設置されている。そして、来訪者により呼出ボタン５が操作されると、インターホン親機を呼び出し、インターホン親機において居住者により所定の操作（たとえば通話ボタンの操作）がなされると、インターホン子機１とインターホン親機との間で通話可能となるように構成されている。
【００１６】
また、インターホン子機１には、外部のネットワークと接続するためのＬＡＮケーブルＬ１（図４、図５に示す）が接続可能となっている。ここで、本発明の要部となるＬＡＮケーブルＬ１の配線構造について図２〜図５をもとに説明する。
後ケース３の右下隅（後面から見て）には、逆Ｌ字状の切り欠き１１が設けられており、上下方向に延びる縦収納空間１２と左右方向に延びる横収納空間１３とからなる逆Ｌ字状の配線収納空間が後面に露出している。尚、後ケース３には、逆Ｌ字状のカバー部材３０が取付可能となっており、カバー部材３０を取り付けることで切り欠き１１の後方を閉塞可能となっている。また、３１は、後ケース３に設けられ、後ケース３の後面表面に浸入した水滴の上記縦収納空間１２や横収納空間１３からなる配線収納空間への浸入を防止するための水滴防止リブである。
【００１７】
縦収納空間１２は、その上端にＬＡＮケーブルＬ１をコネクタ接続するためのＬＡＮケーブル接続端子１４が設けられている一方、下端において横収納空間１３と連通している。また、縦収納空間１２の外側面（図２において右側面）は前ケース２の側面により閉塞され、縦収納空間１２の下側面は前ケース２の底面により閉塞されている。さらに、内側側面は内壁面１５により閉塞され、本体ケース４の内部空間とは隔離されている。
【００１８】
一方、横収納空間１３は、その右端（後面から見て）において縦収納空間１２と連通しており、横収納空間１３の上面にはインターホン親機と接続するための信号線Ｌ２、Ｌ２・・を接続可能な複数の信号線接続端子１６、１６・・が設けられて、本体ケース４の内部空間とは隔離されている。また、横収納空間１３の下面には、縦収納空間１２及び横収納空間１３に浸入した水滴を排水するための排水口１７が設けられている。さらに、横収納空間１３の左端（後面から見て）には、信号線用導出部１８とＬＡＮケーブル用導出部１９とが上下（信号線用導出部１８が上方でＬＡＮケーブル用導出部１９が下方）に連設されている。この信号線用導出部１８は、信号線Ｌ２、Ｌ２・・を束ねて収納可能な上下幅を有しており、信号線接続端子１６、１６・・よりは下方において横収納空間１３から左方（後面から見て）へ突出した凹部として形成されている。一方、ＬＡＮケーブル用導出部１９は、ＬＡＮケーブルＬ１を配線可能な上下幅を有し、横収納空間１３から左方（後面から見て）へ突出して設けられているとともに、横収納空間１３から左方へかけて徐々に後方へ持ち上がるテーパ面として形成されている。
【００１９】
加えて、縦収納空間１２と横収納空間１３との連通部には、ＬＡＮケーブルＬ１をガイドするためのガイドリブ２０と、ＬＡＮケーブルＬ１の必要以上の押し込みを防止するための押し込み防止リブ２１とが設けられている。ガイドリブ２０は、縦収納空間１２と本体ケース４の内部空間とを隔離する内壁面１５から連通部へ向けて更に下方へ延設されてなり、その下端は、信号線用導出部１８とＬＡＮケーブル用導出部１９との境界線と同じ上下方向での高さ位置となっている（すなわち、左右方向で見ると、ガイドリブ２０により信号線用導出部１８の少なくとも一部を覆っている）。一方、押し込み防止リブ２１は、ガイドリブ２０と対峙する位置に連通部へ向けて上方へ突出するように設けられており、接続状態にあるＬＡＮケーブルＬ１を更に押し込んだ際、縦収納空間１２及び横収納空間１３で撓んだＬＡＮケーブルＬ１が押し込み防止リブ２１に当接し、接続部にかかる押し込み方向への負荷を軽減するようになっている。
【００２０】
そして、以上のような配線構造を有するインターホン子機１へのＬＡＮケーブルＬ１及び信号線Ｌ２、Ｌ２・・の接続について説明する。
ＬＡＮケーブルＬ１については、その先端に設けられているコネクタ（図示せず）を下方から上方へＬＡＮケーブル接続端子１４に差し込んで接続する。そして、コネクタから下方へ延びるＬＡＮケーブルＬ１は、ガイドリブ２０を利用して左方へ曲げ、横収納空間１３の下部を通してＬＡＮケーブル用導出部１９から本体ケース４の外方へ導き出す。したがって、ＬＡＮケーブルＬ１は、横収納空間１３内において、本体ケース４の周縁側に収納される。
一方、信号線Ｌ２、Ｌ２・・については、横収納空間１３内において信号線接続端子１６、１６・・に接続するとともに、配線を横収納空間１３の上部を通して信号線用導出部１８から本体ケース４の外方（本体ケース４の後方）へ導き出せば良い。したがって、信号線Ｌ２、Ｌ２・・は、横収納空間１３内において、ＬＡＮケーブルＬ１よりも内側に収納される。
そして、カバー部材３０を取り付けて、配線収納空間を閉塞すれば、ＬＡＮケーブルＬ１及び信号線Ｌ２、Ｌ２・・の接続作業は完了となる。
【００２１】
上述したようなインターホン子機１によれば、縦収納空間１２と横収納空間１３とからなる逆Ｌ字状の配線収納空間を設けており、接続状態において下方へ延びるＬＡＮケーブルＬ１を左右方向に導き出すように構成しているため、従来の如くＵ字配線処理溝に沿って折り返す構成と比較して、一般的に剛性のあるＬＡＮケーブルＬ１であっても配線時における負荷等に起因して通信が正常でなくなるおそれを軽減することができるし、ＬＡＮケーブル接続端子１４における接続不良をも防止することができる。
また、横収納空間１３において、その上部と下部とで信号線Ｌ２、Ｌ２・・用配線収納空間（横収納空間１３の上部）とＬＡＮケーブルＬ１用配線収納空間（横収納空間の下部）とを分け、且つ、ＬＡＮケーブルＬ１を本体ケース４の周縁側に、信号線Ｌ２、Ｌ２・・をＬＡＮケーブルＬ１よりも内側に夫々収納可能としているため、両配線が混在しない状態で剛性のあるＬＡＮケーブルＬ１を無理なく配線することができる。
【００２２】
さらに、縦収納空間１２と横収納空間１３との連通部において、縦収納空間１２と本体ケース４の内部空間とを隔離する内壁面１５から連通部へ向けて更に下方へ延設され、左右方向で見ると信号線用導出部１８の少なくとも一部を覆うガイドリブ２０を設けているため、スムーズにＬＡＮケーブルＬ１を配線することができる上、ＬＡＮケーブルＬ１と信号線Ｌ２、Ｌ２・・との混在をより確実に防止することができる。
また、カバー部材３０によって配線収納空間を閉塞可能としているため、ＬＡＮケーブルＬ１や信号線Ｌ２、Ｌ２・・の不用意な外れを一層確実に防止することができる。
【００２３】
さらにまた、縦収納空間１２と横収納空間１３との連通部へ向けて上方へ突出する押し込み防止リブ２１を設けており、接続状態にあるＬＡＮケーブルＬ１を更に押し込んだ際、縦収納空間１２及び横収納空間１３で撓んだＬＡＮケーブルＬ１が押し込み防止リブ２１に当接し、接続部にかかる押し込み方向への負荷を軽減するように構成しているため、通信に不具合が生じる事態やＬＡＮケーブル接続端子１４において接続不良が生じる事態を一層軽減することができる。
加えて、横収納空間１３の先端部に、信号線用導出部１８とＬＡＮケーブル用導出部１９とを上下に分けて設けているため、ＬＡＮケーブルＬ１と信号線Ｌ２、Ｌ２・・との混在を一層防止することができる上、ＬＡＮケーブル用導出部１９を、横収納空間１３底面から左方へかけて徐々に後方へ持ち上がるテーパ面として形成しているため、ＬＡＮケーブルＬ１を一層無理なく導き出すことができる。
【００２４】
なお、本発明に係るインターホン機器は、上記実施形態の態様に何ら限定されるものではなく、インターホン機器の種類や配線収納空間に係る構成を、本発明の趣旨を逸脱しない範囲で必要に応じて適宜変更することができる。
【００２５】
たとえば、上記実施形態では逆Ｌ字状の配線収納空間を設けているが、本体ケースの左下隅（後面から見て）にＬ字状の配線収納空間を設け、本体ケースの右方（後面から見て）へ配線を導き出すように構成してもよい。また、信号線用導出部やＬＡＮケーブル用導出部を本体ケースの側面に設けることも可能である。
さらに、ガイドリブや押し込み防止リブの有無、信号線用導出部やＬＡＮケーブル用導出部の形状等は適宜設計変更可能であって、ガイドリブを設けるにあたっては、その先端が少なくとも信号線用導出部の一部を左右方向で覆っていればよく、上記実施形態の如く完全に覆わなくてもよい。
加えて、上記実施形態ではインターホン機器の一例であるインターホン子機について説明しているが、本発明をインターホン親機等の他のインターホン機器に適用できることは言うまでもない。  
【符号の説明】
【００２６】
１・・インターホン子機（インターホン機器）、２・・前ケース、３・・後ケース、４・・本体ケース、１１・・切り欠き、１２・・縦収納空間（配線収納空間）、１３・・横収納空間（配線収納空間）、１４・・ＬＡＮケーブル接続端子、１５・・内壁面、１６・・信号線接続端子、１７・・排水口、１８・・信号線用導出部、１９・・ＬＡＮケーブル用導出部、２０・・ガイドリブ、２１・・押し込み防止リブ。
【図１】
2011077696.tif 000003
【図２】
2011077696.tif 000004
【図３】
2011077696.tif 000005
【図４】
2011077696.tif 000006
【図５】
2011077696.tif 000007